(57)【特許請求の範囲】
【請求項１】
適宜印刷の施された正面板１の一端側にそれぞれ折目ａ、ｂを介して適宜印刷の施された背面板２、中身板３、他端側に折目ｍを介して貼着板１ａをそれぞれ連設し、前記背面板２に前記折目方向に開封部２ａを設け、前記背面板２領域又は正面板１領域に前記折目ａ、ｂに対して直交する方向に設けた水平折目ｐと、その水平折目ｐの両端から前記背面板２又は正面板１の下端まで延びる切込部ｑ、ｑとにより商品添付用の吊下用孔設部３１が設けられた商品添付板３０を形成し、前記背面板２、中身板３、貼着板１ａを前記折目ａ、ｂ、ｍを介して同一方向に折り曲げて正面板１裏面に平坦に折り重ね、前記貼着板１ａと中身板３の折目ｂ側端部との重ね合わせ内面を貼着したことを特徴とする商品添付用リーフレット。
【請求項２】
前記吊下用孔設部３１にその内方に向かって突出する１乃至複数の突出部３２が設けられている請求項１記載の商品添付用リーフレット。
【請求項３】
前記中身板３の折目ｂ以外の端部側に適宜印刷の施された１乃至複数の他の中身板が折目を介して連設されている請求項１又は請求項２記載の商品添付用リーフレット。
【発明の詳細な説明】
【０００１】
【発明の属する技術分野】
本発明は、店頭にて展示販売される商品など適宜商品に直接添付したり吊下して、その商品の情報や販売キャッチフレーズなどを表示するための商品添付用リーフレットに関する。
【０００２】
【従来の技術】
従来より、商品に直接添付したり吊下したりして、その商品の情報や販売キャッチフレーズなどを表示するために使用されるアイキャッチ用の商品添付用ツールがある。
【０００３】
このような添付用ツールを添付するための対象となる商品のサイズが比較的小さい場合には、それに使用する添付用ツールは、その商品の外観を損なわないように、また商品を目立たせるために、また商品とのバランスを考慮して、あまり大きくなく適度にコンパクトなサイズである必要がある。
【０００４】
【発明が解決しようとする課題】
そのため、商品情報を上記添付用ツールに印刷表示する際には、その小さな限られた表示面積内に表示しなければならず、自ずと表示可能な商品情報量は制約を受けることになる。
【０００５】
本発明は、限られた大きさの添付用ツール内にできるかぎり多くの商品情報を表示できるようにすることにあり、また、顧客が顧客向けのサービス情報などを商品購入した後において開封閲覧できるように、その添付用ツールに所定の開封手段を設けるようにすることにある。
【０００６】
【課題を解決するための手段】
本発明の請求項１に係る発明は、適宜印刷の施された正面板１の一端側にそれぞれ折目ａ、ｂを介して適宜印刷の施された背面板２、中身板３、他端側に折目ｍを介して貼着板１ａをそれぞれ連設し、前記背面板２に前記折目方向に開封部２ａを設け、前記背面板２領域又は正面板１領域に前記折目ａ、ｂに対して直交する方向に設けた水平折目ｐと、その水平折目ｐの両端から前記背面板２又は正面板１の下端まで延びる切込部ｑ、ｑとにより商品添付用の吊下用孔設部３１が設けられた商品添付板３０を形成し、前記背面板２、中身板３、貼着板１ａを前記折目ａ、ｂ、ｍを介して同一方向に折り曲げて正面板１裏面に平坦に折り重ね、前記貼着板１ａと中身板３の折目ｂ側端部との重ね合わせ内面を貼着したことを特徴とする商品添付用リーフレットである。
【０００７】
本発明の請求項２に係る発明は、上記請求項１に係る商品添付用リーフレットにおいて前記吊下用孔設部３１にその内方に向かって突出する１乃至複数の突出部３２が設けられていることを特徴とする商品添付用リーフレットである。
【０００８】
本発明の請求項３に係る発明は、上記請求項１又は請求項２に係る商品添付用リーフレットにおいて、前記中身板３の折目ｂ以外の端部側に、適宜印刷の施された１乃至複数の他の中身板が折目を介して連設されていることを特徴とする商品添付用リーフレットである。
【０００９】
【発明の実施の形態】
本発明の商品添付用リーフレットの実施の形態を、図１（ａ）に示す商品添付用リーフレットの展開図、及び図１（ｂ）に示す商品添付用リーフレットの水平断面図、及び図１（ｃ）に示す組み立て斜視図に従って以下に詳細に説明する。
【００１０】
図１（ａ）に示すように、本発明の商品添付用リーフレットは、例えば、厚さ０．１ｍｍ以下あるいは０．１ｍｍ〜０．２ｍｍ、あるいは０．２ｍｍ〜０．３ｍｍ程度の紙材料又は合成樹脂フィルム材料、又はそれら材料による複合シート材料又は他の材料との複合シート材料により形成されたものであり、リーフレット部１０と、商品添付板３０とにより構成されていて、リーフレット部１０には、適宜印刷の施された正面板１の一端側にそれぞれ折目ａ、ｂを介して順に適宜印刷の施された背面板２、中身板３が連設され、他端側に折目ｍを介して貼着板１ａが連設されている。
【００１１】
そして、前記背面板２には、その折目ａ、ｂ、ｍの方向に平行に、又は必ずしもその折目ａ、ｂ、ｍの方向に対して平行ではないが背面板２の上下方向に、１本若しくは２本のミシン目などの断続線により形成された開封部２ａが設けられている。
【００１２】
そして、図示するように前記背面板２の領域又は正面板１の領域に、前記折目ａ、ｂに対して直交する方向に設けた水平折目ｐを設け、該水平折目ｐの両端から前記背面板２又は正面板１の下端まで延びる切込部ｑ、ｑとにより商品添付用の吊下用孔設部３１が設けられた商品添付板３０が形成されている。
【００１３】
また、前記吊下用孔設部３１には、第１の発明と同様に、必要に応じてその内方に向かって突出する１乃至複数の突出部３２が設けられている。
【００１４】
そして、図１（ｂ）に示すように、前記背面板２、中身板３、貼着板１ａを前記折目ａ、ｂ、ｍを介して同一方向に折り曲げて、それを正面板１裏面に平坦に折り重ね、前記貼着板１ａと中身板３の折目ｂ側端部との重ね合わせ内面が貼着されている。
【００１５】
そして、図１（ｃ）に示すように、前記背面板２に折目ｐを介して連設した商品添付板３０を、該折目ｐを介して背面板２（リーフレット部１０）より垂直に折り立てることにより、第２の発明の商品添付用リーフレットが組み立て完成する。
【００１６】
また、前記中身板３の折目ｂ以外の端部側（中身板３の側端部、上端部、下端部）には、必要に応じて、適宜印刷の施された１乃至複数の他の中身板（補助中身板）が折目を介して連設されている。
【００１７】
前記正面板１と背面板２とは互いに略同一サイズであるが、中身板３は、必ずしも正面板１、背面板２と同一サイズである必要はなく、これらよりも小さいサイズであってもよい。
【００１８】
上記本発明の商品添付用リーフレットは、上記図１（ｂ）に示す背面板２に設けた開封部２ａを切り開き、背面板２を折目ａを介して開放することによって、その背面板２の内面及び中身板３の表裏面及び正面板１の内面を露呈することができる。
【００１９】
そして、正面板１の表裏面による２頁分、背面板２の表裏面による２頁分、中身板３の表裏面による２頁分の合計６頁分の商品情報に関する表示領域を確保でき、そこに商品情報を印刷表示することができ、また中身板３に、上記のように他の中身板（補助中身板）を設けることにより、正面板１の表裏面による２頁分、背面板２の表裏面による２頁分、中身板３の表裏面による２頁分、２枚の補助中身板による４頁分の合計１０頁分の商品情報に関する表示領域を確保でき、そこに商品情報やアンケート記入欄や返信郵送欄などを印刷表示することができる。
【００２０】
図２は、上記本発明の商品添付用リーフレットを商品に添付した状態を示す一例であり、リーフレット部１０より折り立てた添付板３０に設けた孔設部３１に、商品（例えばボトル容器Ａのネック部）を差し込んで添付する。
【００２１】
このようにすることによって、商品添付用リーフレットは、リーフレット部１０をボトル容器Ａの胴部に密着させずに取り付け固定することができ、そのためボトル容器Ａとの対向面のリーフレット部１０面に表示されている添付板３０より上側の表示情報は容器Ａによって隠れることがなく、リーフレット部１０の表裏両面をディスプレイ表示することができる。
【００２２】
【発明の効果】
本発明の商品添付用リーフレットは、限られた大きさの添付用ツール内に多くの商品情報を表示でき、その添付用ツールに所定の開封手段を設けたことにより顧客が顧客向けのサービス情報などを商品購入した後において開封閲覧することができ、商品情報提供用リーフレット、アイキャッチリーフレット、カタログシートなどとして商品に対して手軽に添付できる効果がある。
【図面の簡単な説明】
【図１】  （ａ）は本発明の商品添付用リーフレットの一実施の形態を示す展開図、（ｂ）は本発明の商品添付用リーフレットの水平断面図、（ｃ）は本発明の商品添付用リーフレットの組み立て斜視図。
【図２】  本発明の商品添付用リーフレットを商品に添付した状態の一例を示す外観図。
【符号の説明】
１…正面板  １ａ…貼着板  ２…背面板  ２ａ…開封部  ３…中身板
１０…リーフレット部  ３０…添付板  ３１…孔設部  ３２…突出部
ａ、ｂ、ｃ、ｄ…折目  ｍ、ｎ…折目  ｐ…折目  ｑ…切込部
Ａ…商品
【図１】
0003678008.tif 000002
【図２】
0003678008.tif 000003